(57)【要約】【課題】２つ折りして収納できる加熱調理器の調理の使い勝手を向上させた加熱調理器を提供することを目的としている。【解決手段】一対の本体ケース１、２と、その内部に夫々設けたヒーター３、４と、このヒーター３、４の上面に着脱自在に載置される調理プレート５、６と、この調理プレート５、６の夫々の対向する側に設けられ、調理時にはヒーター３、４上に載置される調理プレート５、６を固定し、収納時にはその固定を解除する固定部１５と、前記本体ケース１、２を折り畳み可能に連結するヒンジ１４と、前記ヒーター３、４の下方に夫々設けた遮熱板７、８と、この遮熱板７、８の上面に設けられた前記ヒーター３、４を固定するヒーター取付金具１３と、遮熱板７、８と本体ケース１、２との間に遮熱板７、８を上方に押し上げる様に設けたスプリング１０とを備えた加熱調理器。【選択図】  図１
2004208742.tif 000002
【特許請求の範囲】
【請求項１】
一対の本体ケース（１）（２）と、その内部に夫々設けたヒーター（３）（４）と、このヒーター（３）（４）の上面に着脱自在に載置される調理プレート（５）（６）と、この調理プレート（５）（６）の夫々の対向する側に設けられ、調理時にはヒーター（３）（４）上に載置される調理プレート（５）（６）を固定し、収納時にはその固定を解除する固定部（１５）と、前記本体ケース（１）（２）を折り畳み可能に連結するヒンジ（１４）と、前記ヒーター（３）（４）の下方に夫々設けた遮熱板（７）（８）と、この遮熱板（７）（８）の上面に設けられた前記ヒーター（３）（４）を固定するヒーター取付金具（１３）と、遮熱板（７）（８）と本体ケース（１）（２）との間に遮熱板（７）（８）を上方に押し上げる様に設けたスプリング（１０）とを備えた加熱調理器。
【発明の詳細な説明】
【０００１】
【発明の属する技術分野】
本発明は、ホットプレート等の加熱調理器に関し、特に一対の本体を有し、両本体を折り畳むことのできる加熱調理器に関するものである。
【０００２】
【従来の技術】
従来この種の加熱調理器は、例えば第３図に示すような構造のものが一般に知られている。
【０００３】
すなわち、１、２は一対の本体ケースで、両者を繋ぐヒンジ１４により２つ折りに折り畳み可能に連結されている。３、４はシーズヒーター等で構成されるヒーターで本体ケース１、２の内部に夫々設けられている。
【０００４】
５、６はヒーター３及び４の上面に着脱自在に載置される調理プレートであり、ヒーター３、４の発熱により加熱される。
【０００５】
７、８は遮熱板であり、上面にはヒーター取付金具１３が設けられていて、このヒーター取付金具１３によりヒーター３、４が固定されている。
【０００６】
１６は本体ケース１、２の底面に設けられた断熱スペーサで、この断熱スペーサ１６の上に遮熱板７、８が取り付けられている。
【０００７】
以上のような構成により、加熱調理器の調理時は図３に示すように本体ケース１、２を開いた状態にする。そして調理後に収納するときは本体ケース１、２の内部に夫々の調理プレート５、６を格納し、本体ケース１、２を連結部のヒンジ１４によって２つ折りに折り畳んだ状態にして器体サイズを大幅に小さくして収納する（例えば特許文献１参照）。
【０００８】
【特許文献１】
特開２０００−３７３０９号公報
【０００９】
【発明が解決しようとする課題】
しかしながら、上記の従来技術によれば、調理後に収納する時は本体ケース１、２を２つ折りに折り畳んだ状態にすることにより器体サイズを大幅に小さくできるため大変収納性に優れているが、調理時に本体ケース１、２を開いて焼き蕎麦やお好み焼き等を調理しようとすると、調理プレート５、６が２枚に別れていて夫々の調理プレート５、６の調理面の大きさが小さいため、焼き蕎麦の場合はかき混ぜにくいものであり、また調理プレート５、６の間で味が異なってしまう問題があった。
【００１０】
また、お好み焼きの場合も調理面の大きさが小さいため一度に少ない数しか作れないという使いにくさがあった。
【００１１】
また、前記問題を解消するために図４に示すような構造のものが考えられる。
【００１２】
すなわち、調理プレート５、６の中央部に固定部１５を設け、調理する時はこの固定部１５で調理プレート５と６を固定して１枚の平らな調理プレートにして本体ケース１、２のヒーター３、４の上に載置して使用する。
【００１３】
調理後に収納するときは、調理プレート５、６の固定部１５の固定を解除して分割し、本体ケース１と本体ケース２の中に調理プレート５、６を夫々収納し、本体ケース１、２をヒンジ１４により２つ折りに折り畳んで収納する。
【００１４】
しかし、このものは収納性が良く、使い勝手も良いが次のような問題がある。
【００１５】
すなわち、本体ケース１と本体ケース２の内部に有るヒーター３、４は、夫々の本体ケース１、２の底面に断熱スペーサ１６と遮熱板７、８及びヒーター取付金具１３を介して固定されているため、調理時の本体ケース１、２を開いたときのヒーター３、４の高さは、分割された本体ケース１、２をヒンジ１４で連結したことによって生じる形状のばらつきにより、本体ケース１と２の間で同じ高さに揃わない。
【００１６】
そのため、ヒーター３と４の上面と固定部１５で連結され一体になった調理プレート５、６の下面との接触部分に隙間ができ、ヒーター３、４からの熱が調理プレート５、６にうまく伝わらなくなり、調理プレート５、６の温度が上がらず調理に支障をきたすという問題がある。
【００１７】
【課題を解決するための手段】
本発明は上記の問題を解決されるためになされたものであり、一対の本体ケースと、その内部に夫々設けたヒーターと、このヒーターの上面に着脱自在に載置される調理プレートと、この調理プレートの夫々の対向する側に設けられ、調理時にはヒーター上に載置される調理プレートを固定し、収納時にはその固定を解除する固定部と、前記本体ケースを折り畳み可能に連結するヒンジと、前記ヒーターの下方に夫々設けた遮熱板と、この遮熱板の上面に設けられた前記ヒーターを固定するヒーター取付金具と、遮熱板と本体ケースとの間に遮熱板を上方に押し上げる様に設けたスプリングとを備えたものである。
【００１８】
これによって、２分割した調理プレートを固定部で固定して１枚の調理プレートとして調理することができるため、調理面が広くなり使いやすくなる。
【００１９】
また、スプリングによりヒーターの高さが調節されるため、調理プレートの下面と夫々のヒーターの上面との接触部分に隙間ができなくなり、調理プレートの温度が上がらず調理に支障をきたすことがなくなる。
【００２０】
【実施例】
以下、本発明の一実施例を図１、図２を参照して説明する。
【００２１】
図１は本発明の加熱調理器の調理時における縦断面図である。
【００２２】
図１において、１、２は一対の本体ケースで、両者を繋ぐヒンジ１４により２つ折り畳み可能に連結されている。３、４はシーズヒーター等で構成されるヒーターで本体ケース１、２の内部に夫々設けられている。
【００２３】
５、６は一対の調理プレートで、調理時は中央部分に設けられた固定部１５で固定され、１枚の平らな調理プレートとして使えるようになっていて、ヒーター３、４の上面に着脱自在に載置され、ヒーター３、４の発熱により加熱される。また、調理後の収納時は固定部１５の固定を解除して２分割し、２つ折りされた左右の本体ケース１、２の内部に別々に収納される。尚、本体ケース１、２の大きさは調理プレート３、４を個々に収納できるスペースを有したものである。
【００２４】
７、８は遮熱板で、その上面に設けたヒーター取付金具１３によりヒーター３、４を固定している。そして、ヒーター３、４の熱は遮熱板７、８による遮熱効果と遮熱板７、８と本体ケース１、２の底面との間の断熱空間１２による断熱効果により本体ケース１、２の底面に伝導されにくくしている。
【００２５】
９は遮熱板７、８の下面に設けられた円筒形状のスプリングガイド、１０はスプリングガイド９内に設けられたコイル形状のスプリング、１１は本体ケース１、２の底面に設けられ、スプリング１０内に挿入される円柱状のガイドピンであり、これらは遮熱板７と８の夫々の４隅に設けられている。そしてスプリング１０によって遮熱板７、８を上方に押し上げ、遮熱板７、８の上面に設けたヒーター取付金具１３を介して取り付けられたヒーター３、４を調理プレート５、６と密着するように押し当てている。
【００２６】
図２は調理プレート５、６の固定部１５の縦断面斜視図である。
【００２７】
図２において、５、６は調理プレートで、２０は調理プレート６の調理プレート５と対向する側の端部に設けられた凹部、２１は調理プレート５の調理プレート６と対向する側の端部に設けられた凸部である。
【００２８】
調理プレート５、６を固定する場合は、凹部２０を有する調理プレート６を下にして、凸部２１を有す調理プレート５を上から下方にスライドさせて凸部２１と凹部２０が嵌め合うようにして１枚の平らな調理プレートになるように固定する。
【００２９】
調理プレート５、６を分割する場合は、固定する場合とは逆に調理プレート５、６同士を上下にスライドさせて嵌め合いを解除して２つに分割する。
【００３０】
以上のような構成により調理時はヒーター３、４の上面に調理プレート５と６を固定部１５で固定して載置する。
【００３１】
その際、本体ケース１、２の底面からのヒーター３、４の取り付け高さが揃っていないと、例えば本体ケース１側のヒーター３の取り付け高さが本体ケース２側のヒーター４の取り付け高さに比べて低い場合、ヒーター３の方に調理プレート５、６の荷重が掛かり、もう一方のヒーター４の方には余り荷重が掛からない状態になる。
【００３２】
したがって、荷重の掛かっている方のヒーター３を固定している遮熱板７側のスプリング１０は下方に下がり、余り荷重が掛かっていない方のヒーター４を固定している遮熱板８側のスプリング１０はそれ程下がらない。
【００３３】
このようにしてスプリング１０に掛かる荷重によって夫々のスプリング１０の高さが調節されヒーター３、４の高さが変化するため、調理プレート５と６の下面とヒーター３と４の上面とが隙間無く接触するようになり、ヒーター３、４の熱が良好に調理プレート５、６に伝わるようになる。
【００３４】
調理後の収納時は調理プレート５、６の固定部１５の嵌め合いを解除して２つに分割し、本体ケース１、２の内部に夫々の調理プレート５、６を格納し、本体ケース１、２を連結部のヒンジ１４によって２つ折りに折り畳んだ状態にして収納する。
【００３５】
なお、上記実施例ではヒーター３と４を上方に押し上げる様にスプリング１０を遮熱板７、８の４隅に設けたが、調理プレート５、８とヒーター３、４が隙間無く接触することができれば、スプリング１０の設置場所や数はどのようにしてもかまわない。
【００３６】
また、スプリング１０はコイル形状のスプリングを使用したが、板バネ形状のものでもかまわない。
【００３７】
また、調理プレート５、６の固定部１５は凹部と凸部を嵌め込む形状としたが、止め金具を用いて固定するようにしてもかまわない。
【００３８】
【発明の効果】
以上説明したように、本発明によれば、２分割した調理プレートを固定部で固定して１枚の調理プレートとして調理する際、夫々の本体ケース内のヒーターの高さに違いがあっても常にヒーターと調理プレートの接触状態に隙間が生じないようにヒーターの高さがスプリングによって変わるため、ヒーターの熱が調理プレートに良好に伝わり、調理プレートの温度が上がらず調理に支障をきたすということがなくなる。
【００３９】
また、調理時は２分割した調理プレートを固定部で固定して１枚の平らな調理プレートとして使えるため、調理面が広くなり調理面が狭いための使い勝手の悪さが解消される。
【００４０】
また、調理後に収納する場合、本体ケースの内部に調理プレートの固定部の固定を解除して分割した調理プレートを夫々格納し、本体ケースをヒンジにより２つ折りに折り畳んで、器体サイズを大幅に小さくして収納できるため大変収納性に優れている。
【図面の簡単な説明】
【図１】本発明の一実施例の加熱調理器の調理時における縦断面図である。
【図２】同調理プレートの固定部の縦断面斜視図である。
【図３】従来例の縦断面図である。
【図４】同他の一例の縦断面図である。
【符号の説明】
１、２  本体ケース
３、４  ヒーター
５、６  調理プレート
７、８  遮熱板
９  スプリングガイド
１０  スプリング
１１  ガイドピン
１３  ヒーター取付金具
１４  ヒンジ
１５  固定部
【図１】
2004208742.tif 000003
【図２】
2004208742.tif 000004
【図３】
2004208742.tif 000005
【図４】
2004208742.tif 000006